(57)【要約】【課題】  ユーザの位置に応じて適切なアプリケーションプログラムを自動的に取得して起動することが可能な携帯端末装置を提供する。【解決手段】  端末１は位置情報取得装置１１によって位置情報を取得した場合、通信手段１３を用いてデータベースサーバ２にアクセスし、データベースサーバ２を介して位置情報をキーとするデータベース３の検索を行う。端末１はこのデータベース３の検索の結果を基に、アプリケーション識別子とアプリケーション取得先とをデータベース３から取得する。アプリケーション識別子及びアプリケーション取得先が同じとなるアプリケーションがアプリケーション格納領域１２に存在する場合、端末１はアプリケーション格納領域１２内のアプリケーションを起動する。【選択図】      図１                                                  
2005092469.tif 000002
【特許請求の範囲】
【請求項１】
位置情報を取得する取得手段を含む携帯端末装置においてサーバ装置からアプリケーションプログラムを取得して起動するためのアプリケーション取得／起動システムであって、
前記位置情報と前記アプリケーションプログラムの識別子及び取得先とを対応させて蓄積するデータベースを前記サーバ装置に有し、
前記取得手段で取得した位置情報と前記データベースに蓄積された位置情報とを照合する手段と、その照合で一致が検出された時に当該位置情報に関連付けられたアプリケーションプログラムの取得／起動を行う手段とを前記携帯端末装置に有することを特徴とするアプリケーション取得／起動システム。
【請求項２】
前記携帯端末装置は、前記位置情報が前記データベースに登録されている場合に当該位置情報の組となって前記識別子及び取得先に関連付けられている自端末内のアプリケーションを起動することを特徴とする請求項１記載のアプリケーション取得／起動システム。
【請求項３】
前記携帯端末装置は、自端末内に前記アプリケーションプログラムが存在しない場合に当該位置情報に対応する前記取得先から前記アプリケーションプログラムを自端末内にダウンロードして保存した後に当該アプリケーションプログラムを起動することを特徴とする請求項１または請求項２記載のアプリケーション取得／起動システム。
【請求項４】
位置情報を取得する取得手段を含み、サーバ装置からアプリケーションプログラムを取得して起動する携帯端末装置であって、
前記サーバ装置に設けられかつ前記位置情報と前記アプリケーションプログラムの識別子及び取得先とを対応させて蓄積するデータベースに蓄積された位置情報と前記取得手段で取得した位置情報とを照合する手段と、その照合で一致が検出された時に当該位置情報に関連付けられたアプリケーションプログラムの取得／起動を行う手段とを有することを特徴とする携帯端末装置。
【請求項５】
前記位置情報が前記データベースに登録されている場合に当該位置情報の組となって前記識別子及び取得先に関連付けられている自端末内のアプリケーションを起動することを特徴とする請求項４記載の携帯端末装置。
【請求項６】
自端末内に前記アプリケーションプログラムが存在しない場合に当該位置情報に対応する前記取得先から前記アプリケーションプログラムを自端末内にダウンロードして保存した後に当該アプリケーションプログラムを起動することを特徴とする請求項４または請求項５記載の携帯端末装置。
【請求項７】
位置情報を取得する取得手段を含む携帯端末装置においてサーバ装置からアプリケーションプログラムを取得して起動するためのアプリケーション取得／起動方法であって、前記携帯端末装置側に、前記サーバ装置に設けられかつ前記位置情報と前記アプリケーションプログラムの識別子及び取得先とを対応させて蓄積するデータベースに蓄積された位置情報と前記取得手段で取得した位置情報とを照合するステップと、その照合で一致が検出された時に当該位置情報に関連付けられたアプリケーションプログラムの取得／起動を行うステップとを有することを特徴とするアプリケーション取得／起動方法。
【請求項８】
前記携帯端末装置が、前記位置情報が前記データベースに登録されている場合に当該位置情報の組となって前記識別子及び取得先に関連付けられている自端末内のアプリケーションを起動することを特徴とする請求項７記載のアプリケーション取得／起動方法。
【請求項９】
前記携帯端末装置が、自端末内に前記アプリケーションプログラムが存在しない場合に当該位置情報に対応する前記取得先から前記アプリケーションプログラムを自端末内にダウンロードして保存した後に当該アプリケーションプログラムを起動することを特徴とする請求項７または請求項８記載のアプリケーション取得／起動方法。
【発明の詳細な説明】
【技術分野】
【０００１】
本発明はアプリケーション取得／起動システム、携帯端末装置及びそれらに用いるアプリケーション取得／起動方法に関し、特に端末装置がアプリケーションプログラムを取込んで起動する方法に関する。
【背景技術】
【０００２】
従来、携帯電話機やＰＤＡ等の携帯端末装置においては、その購入時に自端末内に格納されたアプリケーションプログラム（以下、アプリケーションとする）以外にも、外部からアプリケーションをダウンロードして動作させることが可能となっている。
【０００３】
この場合、上記の携帯端末装置のユーザはアプリケーションの取得先を探す必要がある。例えば、アプリケーションの取得先を得る方法としては、雑誌や新聞等の印刷物からアプリケーション取得先のＵＲＬ（Ｕｎｉｆｏｒｍ  Ｒｅｓｏｕｒｃｅ  Ｌｏｃａｔｏｒ）を得る、電子メールに記載されたＵＲＬから得る、ブラウジング中にアプリケーション取得先のＵＲＬに辿り着く等の方法が考えられる。
【０００４】
一方、上記の方法にて取得したＵＲＬを基にアプリケーションをダウンロードした場合、そのアプリケーションの起動は、意図的なユーザによる起動、タイマによる起動、電子メールの受信や赤外線の入力等の外部からの入力による起動等に限られている。
【０００５】
【特許文献１】特開２００３−０７５１８９号公報
【特許文献２】特開２００２−１４０２５４号公報
【特許文献３】特開２００２−１９９４５１号公報
【特許文献４】特開２００２−３１８８７５号公報
【発明の開示】
【発明が解決しようとする課題】
【０００６】
しかしながら、上述した従来のアプリケーション取得／起動方法では、携帯端末装置を持つユーザがある場所にきた時に、その場所で特定のアプリケーションを自動的に起動する方法がないという問題がある。
【０００７】
そこで、本発明の目的は上記の問題点を解消し、ユーザの位置に応じて適切なアプリケーションを自動的に取得して起動することができるアプリケーション取得／起動システム、携帯端末装置及びそれらに用いるアプリケーション取得／起動方法を提供することにある。
【課題を解決するための手段】
【０００８】
本発明によるアプリケーション取得／起動システムは、位置情報を取得する取得手段を含む携帯端末装置においてサーバ装置からアプリケーションプログラムを取得して起動するためのアプリケーション取得／起動システムであって、
前記位置情報と前記アプリケーションプログラムの識別子及び取得先とを対応させて蓄積するデータベースを前記サーバ装置に備え、
前記取得手段で取得した位置情報と前記データベースに蓄積された位置情報とを照合する手段と、その照合で一致が検出された時に当該位置情報に関連付けられたアプリケーションプログラムの取得／起動を行う手段とを前記携帯端末装置に備えている。
【０００９】
本発明による携帯端末装置は、位置情報を取得する取得手段を含み、サーバ装置からアプリケーションプログラムを取得して起動する携帯端末装置であって、
前記サーバ装置に設けられかつ前記位置情報と前記アプリケーションプログラムの識別子及び取得先とを対応させて蓄積するデータベースに蓄積された位置情報と前記取得手段で取得した位置情報とを照合する手段と、その照合で一致が検出された時に当該位置情報に関連付けられたアプリケーションプログラムの取得／起動を行う手段とを備えている。
【００１０】
本発明によるアプリケーション取得／起動方法は、位置情報を取得する取得手段を含む携帯端末装置においてサーバ装置からアプリケーションプログラムを取得して起動するためのアプリケーション取得／起動方法であって、前記携帯端末装置側に、前記サーバ装置に設けられかつ前記位置情報と前記アプリケーションプログラムの識別子及び取得先とを対応させて蓄積するデータベースに蓄積された位置情報と前記取得手段で取得した位置情報とを照合するステップと、その照合で一致が検出された時に当該位置情報に関連付けられたアプリケーションプログラムの取得／起動を行うステップとを備えている。
【００１１】
すなわち、本発明のアプリケーション取得／起動システムは、位置情報、アプリケーションプログラム（以下、アプリケーションとする）識別子、アプリケーション取得先の３属性を１組とする情報を保持したデータベースを用い、携帯端末装置が取得した位置情報とデータベースが保持する位置情報とを照合することで、携帯端末装置が取得した位置情報に関連付けられたアプリケーションの取得／起動を行っている。
【００１２】
より具体的に説明すると、本発明のアプリケーション取得／起動システムは、位置情報、アプリケーション識別子、アプリケーション取得先の３属性を組とする情報を保持するデータベースと、取得した位置情報をキーとしてデータベースを検索する携帯端末装置とからなる。
【００１３】
携帯端末装置は位置情報がデータベースに登録されている場合、位置情報の組となっているアプリケーション識別子とアプリケーション取得先とに関連付けられている自端末内のアプリケーションを起動する。携帯端末装置は自端末内にアプリケーションが存在しない場合、位置情報と組になっているアプリケーション取得先からアプリケーションを自端末内にダウンロードして保存し、その後にそのアプリケーションを起動する。
【００１４】
これによって、本発明のアプリケーション取得／起動システムでは、携帯端末装置の位置情報に応じたアプリケーションを、データベースと携帯端末装置のアプリケーション格納領域とに保存されているアプリケーションとその関連属性とから導き出し、導き出したアプリケーションを携帯端末装置内で起動することによって、ユーザの位置に応じて適切なアプリケーションを自動的に起動することが可能となる。
【００１５】
また、本発明のアプリケーション取得／起動システムでは、データベース内にアプリケーション取得先を保持しておくことによって、携帯端末装置を持つユーザが起動するアプリケーションを探索する必要がなくなる。
【００１６】
さらに、本発明のアプリケーション取得／起動システムでは、起動するアプリケーションが携帯端末装置内に存在しない場合、データベースが保持しているアプリケーション取得先からアプリケーションを取得し、携帯端末装置内にインストールすることによって、ユーザによるアプリケーションの事前インストールが不要になる。
【発明の効果】
【００１７】
本発明は、以下に述べるような構成及び動作とすることで、ユーザの位置に応じて適切なアプリケーションプログラムを自動的に取得して起動することができるという効果が得られる。
【発明を実施するための最良の形態】
【００１８】
次に、本発明の実施の形態について図面を参照して説明する。図１は本発明の実施の形態によるアプリケーション取得／起動システムの構成を示すブロック図である。図１において、本発明の実施の形態によるアプリケーション取得／起動システムは端末１と、データベースサーバ２と、アプリケーション取得先に対応するサーバ４−１〜４−Ｍとから構成されており、端末１はデータベースサーバ２とサーバ４−１〜４−Ｍとにそれぞれ無線接続されている。
【００１９】
データベースサーバ２はデータベース３を備えており、データベース３には位置情報、アプリケーションプログラム（以下、アプリケーションとする）識別子、アプリケーション取得先の組（位置情報１、アプリケーション識別子１、アプリケーション取得先１）〜（位置情報Ｎ、アプリケーション識別子Ｎ、アプリケーション取得先Ｎ）が蓄積されている。
【００２０】
端末１は位置情報取得装置１１と、アプリケーション格納領域１２と、通信手段１３とから構成され、アプリケーション格納領域１２にはアプリケーションＡＱ（Ａ１≦ＡＱ≦ＡＬ）と、それに関連付けられたアプリケーション識別子ＡＱと、アプリケーション取得先ＡＱとが保存されている。
【００２１】
端末１は位置情報取得装置１１によって位置情報Ｐ（１≦Ｐ≦Ｎ）を取得した場合、通信手段１３を用いてデータベースサーバ２にアクセスし、データベースサーバ２を介して位置情報Ｐをキーとするデータベース３の検索を行う。端末１はこのデータベース３の検索の結果を基に、アプリケーション識別子Ｐとアプリケーション取得先Ｐとをデータベース３から取得する。
【００２２】
アプリケーション識別子Ｐとアプリケーション識別子ＡＱとが同じで、かつアプリケーション取得先Ｐとアプリケーション取得先ＡＱとが同じとなるアプリケーションＡＱ（この場合、アプリケーションＰと同一アプリケーション）がアプリケーション格納領域１２に存在する場合、端末１はアプリケーション格納領域１２内のアプリケーションＡＱを起動する。
【００２３】
アプリケーションＡＱがアプリケーション格納領域１２に存在しない場合、端末１はアプリケーション取得先Ｐと通信手段１３とを用いてアプリケーション取得先Ｐに対応するサーバＰ’（１≦Ｐ’≦Ｍ）からアプリケーションＰをダウンロードしてアプリケーション格納領域１２に保存する。
【００２４】
アプリケーションＰを保存する際、端末１はアプリケーションＰに関連付けてアプリケーション識別子Ｐ及びアプリケーション取得先Ｐをアプリケーション格納領域１２に保存する。その後、端末１はアプリケーションＰを起動する。
【００２５】
このように、本発明の実施の形態は、端末１の位置情報に応じたアプリケーションを、データベース３と端末１のアプリケーション格納領域とに保存されているアプリケーションとその関連属性とから導き出し、導き出したアプリケーションを端末１内で起動することによって、ユーザの位置に応じて適切なアプリケーションを自動的に起動することができる。
【００２６】
また、本発明の実施の形態は、データベース３内にアプリケーション取得先を保持しておくことによって、端末１を持つユーザが起動するアプリケーションを探索する必要がなくなる。
【００２７】
さらに、本発明の実施の形態は、起動するアプリケーションが端末１内に存在しない場合、データベース３が保持しているアプリケーション取得先の情報を基にアプリケーションを取得し、端末１内にインストールすることによって、ユーザによるアプリケーションの事前インストールが不要になる。
【実施例１】
【００２８】
次に、本発明の一実施例について説明する。本発明の一実施例によるアプリケーション取得／起動システムは、図１に示す本発明の実施の形態によるアプリケーション取得／起動システムと同様の構成及び動作となっているので、それらの説明については省略する。
【００２９】
図２は本発明の一実施例による端末の動作を示すフローチャートである。これら図１及び図２を参照して本発明の一実施例によるアプリケーション取得／起動システムの動作について説明する。
【００３０】
端末１は位置情報取得装置１１によって位置情報Ｐを取得すると（図２ステップＳ１）、通信手段１３を用いてデータベースサーバ２にアクセスし、データベースサーバ２を介して位置情報Ｐをキーとするデータベース３の検索を行う（図２ステップＳ２）。
【００３１】
端末１はデータベース３が位置情報Ｐを保持している場合（図２ステップＳ３）、データベース３からアプリケーション識別子Ｐとアプリケーション取得先Ｐとを得る（図２ステップＳ４）。また、端末１はデータベース３が位置情報Ｐを保持していない場合（図２ステップＳ３）、処理を終了する。
【００３２】
端末１はアプリケーション格納領域１２にアプリケーション識別子Ｐとアプリケーション識別子ＡＱとが同じで、かつアプリケーション取得先Ｐとアプリケーション取得先ＡＱとが同じとなるＡＱ（Ａ１≦ＡＱ≦ＡＬ）が存在する場合（図２ステップＳ５）、アプリケーションＡＱ（この場合、アプリケーションＰと同一アプリケーション）を起動する（図２ステップＳ８）。端末１はアプリケーションＡＱを起動した後、処理を終了する。
【００３３】
一方、端末１はアプリケーション格納領域１２にアプリケーション識別子Ｐとアプリケーション識別子ＡＱとが同じで、かつアプリケーション取得先Ｐとアプリケーション取得先ＡＱとが同じとなるＡＱ（Ａ１≦ＡＱ≦ＡＬ）が存在しない場合（図２ステップＳ５）、アプリケーション取得先Ｐと通信手段１２とを用いてアプリケーション取得先Ｐに対応するサーバＰ’（１≦Ｐ’≦Ｍ）からアプリケーションＰをダウンロードする（図２ステップＳ６）。
【００３４】
端末１はサーバＰ’からダウンロードしたアプリケーションＰをアプリケーション格納領域１２に保存し、アプリケーションＰと関連付けてアプリケーション識別子Ｐとアプリケーション取得先Ｐとを保存する（図２ステップＳ７）。その後、端末１はアプリケーションＰを起動し（図２ステップＳ８）、アプリケーションＰを起動した後、処理を終了する。
【００３５】
このように、本実施例は、端末１の位置情報に応じたアプリケーションを、データベース３と端末１のアプリケーション格納領域とに保存されているアプリケーションとその関連属性とから導き出し、導き出したアプリケーションを端末１内で起動することによって、ユーザの位置に応じて適切なアプリケーションを自動的に起動することができる。
【００３６】
また、本実施例は、データベース３内にアプリケーション取得先を保持しておくことによって、端末１を持つユーザが起動するアプリケーションを探索する必要がなくなる。
【００３７】
さらに、本実施例は、起動するアプリケーションが端末１内に存在しない場合、データベース３が保持しているアプリケーション取得先の情報を基にアプリケーションを取得し、端末１内にインストールすることによって、ユーザによるアプリケーションの事前インストールが不要になる。
【実施例２】
【００３８】
図３は本発明の他の実施例によるアプリケーション取得／起動システムの構成例を示すブロック図である。図３において、本発明の他の実施例によるアプリケーション取得／起動システムは携帯電話端末５と、データベースサーバ２とから構成されており、携帯電話端末５はデータベースサーバ２に無線接続されている。
【００３９】
データベースサーバ２はデータベース３を備えており、データベース３には位置情報、アプリケーション識別子、アプリケーション取得先の組（「ＸＸ遊園地の緯度・経度」、「遊園地案内アプリケーション」、「ＵＲＬ（Ｕｎｉｆｏｒｍ  Ｒｅｓｏｕｒｃｅ  Ｌｏｃａｔｏｒ）」）が蓄積されている。
【００４０】
携帯電話端末５のアプリケーション格納領域１２には「遊園地案内プログラム」が格納されており、「遊園地案内プログラム」は「遊園地案内アプリケーション」と「ＵＲＬ」とに関連付けられている。
【００４１】
携帯電話端末５は位置情報取得装置１１がＧＰＳ（Ｇｌｏｂａｌ  Ｐｏｓｉｔｉｏｎｉｎｇ  Ｓｙｓｔｅｍ）によってＸＸ遊園地入り口の緯度・経度を取得した場合、ＸＸ遊園地の入り口の緯度・経度をキーとしてデータベース３を検索する。その結果、携帯電話端末５は「遊園地案内アプリケーション」と「ＵＲＬ」とを取得する。
【００４２】
次に、携帯電話端末５はアプリケーション格納領域１２に保存されているアプリケーションの中で、「遊園地案内アプリケーション」、「ＵＲＬ」に関連付けられているアプリケーションを探す。携帯電話端末５は「遊園地案内プログラム」を発見すると、その「遊園地案内プログラム」を起動する。
【００４３】
これによって、本実施例では、携帯電話端末５を持つユーザが遊園地にいった時でも、携帯電話端末５内に保存された「遊園地案内プログラム」を手動で起動しなくともよくなるので、ユーザの位置に応じて適切なアプリケーションを自動的に起動することができる。
【実施例３】
【００４４】
図４は本発明の別の実施例によるアプリケーション取得／起動システムの構成例を示すブロック図である。図４において、本発明の別の実施例によるアプリケーション取得／起動システムは携帯電話端末５と、データベースサーバ２と、ＵＲＬ指定サーバ６とから構成されており、携帯電話端末５はデータベースサーバ２及びＵＲＬ指定サーバ６に無線接続されている。
【００４５】
データベースサーバ２はデータベース３を備えており、データベース３には位置情報、アプリケーション識別子、アプリケーション取得先の組（「ＸＸ遊園地の緯度・経度」、「遊園地案内アプリケーション」、「ＵＲＬ１」の組、「△△居酒屋の緯度・経度」、「メニューアプリケーション」、「ＵＲＬ２」の組）が蓄積されている。
【００４６】
携帯電話端末５のアプリケーション格納領域１２には「遊園地案内プログラム」が格納されており、「遊園地案内プログラム」は「遊園地案内アプリケーション」と「ＵＲＬ１」とに関連付けられている。
【００４７】
携帯電話端末５は位置情報取得装置１１がＧＰＳによって「△△居酒屋の緯度・経度」を取得した場合、「△△居酒屋の緯度・経度」をキーとしてデータベース３を検索する。その結果、携帯電話端末５は「メニューアプリケーション」と「ＵＲＬ２」とを取得する。
【００４８】
次に、携帯電話端末５はアプリケーション格納領域１２に保存されているアプリケーションの中で、「メニューアプリケーション」、「ＵＲＬ２」に関連付けられているアプリケーションを探す。携帯電話端末５は「メニューアプリケーション」、「ＵＲＬ２」に関連付けられているアプリケーションが存在しないので、「ＵＲＬ２」で指定されるＵＲＬ指定サーバ６から「注文プログラム」をダウンロードする。
【００４９】
携帯電話端末５は「注文プログラム」のダウンロード後、「注文プログラム」を「メニューアプリケーション」、「ＵＲＬ２」に関連付けてアプリケーション格納領域１２に保存した後、「注文プログラム」を起動する。
【００５０】
これによって、本実施例では、携帯電話端末５を持つユーザが居酒屋にいった時でも、居酒屋のホームページから手動で「注文プログラム」をダウンロードし、そのダウンロードした「注文プログラム」を手動で起動しなくともよくなるので、ユーザの位置に応じて適切なアプリケーションを自動的にダウンロードして起動することができる。
【実施例４】
【００５１】
図５は本発明のさらに別の実施例によるアプリケーション取得／起動システムの構成例を示すブロック図である。図５において、本発明のさらに別の実施例によるアプリケーション取得／起動システムは携帯電話端末５と、データベースサーバ２と、ＩＣ（集積回路）タグ７とから構成されており、携帯電話端末５はデータベースサーバ２に無線接続されている。
【００５２】
データベースサーバ２はデータベース３を備えており、データベース３には位置情報、アプリケーション識別子、アプリケーション取得先の組（「◇◇ストアの位置情報」、「◇◇ストアアプリケーション」、「ＵＲＬ３」の組）が蓄積されている。
【００５３】
携帯電話端末５のアプリケーション格納領域１２には「宣伝プログラム」が格納されており、「宣伝プログラム」は「遊園地案内アプリケーション」と「ＵＲＬ１」とに関連付けられている。
【００５４】
携帯電話端末５は位置情報取得装置１１が「◇◇ストアの位置情報」をＩＣタグ７から読込んだ場合、「◇◇ストアの位置情報」をキーとしてデータベース３を検索する。その結果、携帯電話端末５は「◇◇ストアアプリケーション」と「ＵＲＬ３」とを取得する。
【００５５】
次に、携帯電話端末５はアプリケーション格納領域１２に保存されているアプリケーションの中で、「◇◇ストアアプリケーション」と「ＵＲＬ３」とに関連付けられているアプリケーションを探す。携帯電話端末５は「宣伝プログラム」を発見するので、その「宣伝プログラム」を起動する。
【００５６】
これによって、本実施例では、携帯電話端末５の位置情報取得装置１１がＩＣタグ７から情報を読込むことができれば、ＧＰＳを備えていなくとも位置情報を取得することができ、ユーザの位置に応じて適切なアプリケーションを自動的に起動することができる。
【産業上の利用可能性】
【００５７】
本発明は端末とデータベースとを独立に設置しているが、データベースを端末に含めた構成にも適用することが可能である。この場合には、データベースの検索に通信手段を用いる必要がなくなる。
【００５８】
また、本発明はデータベースの位置情報に関連付ける属性として、アプリケーション識別子、アプリケーション取得先を用いているが、それら以外の属性を用いる構成に適用することが可能である。この場合、増やした属性は起動するアプリケーションの識別に利用することも可能であるし、その他の用途に利用することも可能である。
【００５９】
例えば、時刻情報を追加することによって、同一の場所であっても時刻に応じて起動するアプリケーションを変えることが可能となる。新規に増やした属性を起動するアプリケーションの識別に利用する場合には、その属性もアプリケーションに関連付けてアプリケーション格納領域に保存する。
【００６０】
さらに、本発明はＧＰＳやＩＣタグから位置情報を取得しているが、これら以外から取得する位置情報（例えば、無線基地局から特定される位置情報等）を用いることも可能である。
【図面の簡単な説明】
【００６１】
【図１】本発明の実施の形態によるアプリケーション取得／起動システムの構成を示すブロック図である。
【図２】本発明の一実施例による端末の動作を示すフローチャートである。
【図３】本発明の他の実施例によるアプリケーション取得／起動システムの構成例を示すブロック図である。
【図４】本発明の別の実施例によるアプリケーション取得／起動システムの構成例を示すブロック図である。
【図５】本発明のさらに別の実施例によるアプリケーション取得／起動システムの構成例を示すブロック図である。
【符号の説明】
【００６２】
１  端末
２  データベースサーバ
３  データベース
４−１〜４−Ｍ  サーバ
５  携帯電話端末
６  ＵＲＬ指定サーバ
７  ＩＣタグ
１１  位置情報取得装置
１２  アプリケーション格納領域
１３  通信手段
【図１】
2005092469.tif 000003
【図２】
2005092469.tif 000004
【図３】
2005092469.tif 000005
【図４】
2005092469.tif 000006
【図５】
2005092469.tif 000007